(57)【特許請求の範囲】
【請求項１】
ケーブル接続部を有する面を備えた電子機器を出し入れする開口部を有し、前記電子機器の外形に応じた形状とされた電子機器収納ケースにおいて、
前記開口端部から延在し、折り返されて前記開口部を塞ぐと共に前記電子機器のケーブル接続部を有する面を覆う領域を備え、前記ケーブル接続部に対応する位置にケーブルが挿入される穴部が設けられた第１の余長部と、
前記開口端部から延在し、前記第１の余長部の下にて前記第１の余長部と重なり合って畳まれる第２の余長部と、
前記第１と第２の余長部の下にて前記開口部の少なくとも一部を塞ぐように折り返される第３の余長部と、
前記第１の余長部及び前記電子機器収納ケースの本体に設けられ、畳まれた状態の前記第１の余長部を前記電子機器収納ケースに固定する固定手段とを具備し、
前記穴部の周囲には防水ゴムが設けられると共に穴径を調整する紐が設けられていることを特徴とする電子機器収納ケース。
【請求項２】
前記穴部を所望により覆いまたは露出させる穴部カバーを
具備することを特徴とする請求項１に記載の電子機器収納ケース。
【発明の詳細な説明】
【０００１】
【発明の属する技術分野】
この発明は、電子機器収納ケースに関し、特に屋外において収納状態で電子機器の操作を可能とする電子機器収納ケースに関するものである。
【０００２】
【従来の技術】
従来の電子機器収納ケースは、例えば、図１３に示されるようにビニールや皮のシート１０１を箱型６面体の形状に構成し、一面を開口部１０２としたものである。上記開口部１０２から内部へ箱状の電子機器筐体を挿入しまた取り出すことができる。
【０００３】
開口部１０２の底板は手前側に延在させられた余長部１０３を有し、余長部１０３を矢印Ｘ方向に折り曲げて一点鎖線に示すように配置したときに開口部１０２を覆う。余長部１０３の前辺近傍には、前辺に沿って面状ファスナー１０４Ａが設けられ、余長部１０３を矢印Ｘ方向に折り曲げ一点鎖線に示すように配置したときに、箱型の電子機器収納ケースの上面に設けられた面状ファスナー１０４Ｂに結合するように構成されている。また、箱型の電子機器収納ケースの両側面にはベルト１０５の固定部１０６が形成され、ベルト１０５により電子機器収納ケースを吊り下げて移動可能となっている。
【０００４】
【発明が解決しようとする課題】
しかしながら、上記構成の電子機器収納ケースでは、余長部１０３により開口部１０２を覆ったときに、開口部１０２の端縁と余長部１０３の辺が接する部分に隙間が生じ、屋外においては雨が侵入する可能性が多い。
【０００５】
また、上記の電子機器収納ケースは、収納及び携帯を目的としていることから収納状態において電子機器の操作を行い、電子機器を使用することは不可能である。これを解決するために、電子機器の操作部に対応する部分に穴を開けて操作部を露出させるようにした電子機器収納ケースも知られているが、係る電子機器収納ケースでは、屋外において上記穴の部分から雨が侵入する可能性が多いという問題点があった。
【０００６】
本発明は上記のような従来における電子機器収納ケースが有する問題点を解決せんとしてなされたもので、その目的は屋外において使用した場合にも雨の侵入の可能性が少なく、また、屋外において収納状態において電子機器を使用可能とする電子機器収納ケースを提供することである。
【０００７】
【課題を解決するための手段】
本発明の請求項１に記載の電子機器収納ケースは、ケーブル接続部を有する面を備えた電子機器を出し入れする開口部を有し、前記電子機器の外形に応じた形状とされた電子機器収納ケースにおいて、前記開口端部から延在し、折り返されて前記開口部を塞ぐと共に前記電子機器のケーブル接続部を有する面を覆う領域を備え、前記ケーブル接続部に対応する位置にケーブルが挿入される穴部が設けられた第１の余長部と、前記開口端部から延在し、前記第１の余長部の下にて前記第１の余長部と重なり合って畳まれる第２の余長部と、前記第１と第２の余長部の下にて前記開口部の少なくとも一部を塞ぐように折り返される第３の余長部と、前記第１の余長部及び前記電子機器収納ケースの本体に設けられ、畳まれた状態の前記第１の余長部を前記電子機器収納ケースに固定する固定手段とを具備し、前記穴部の周囲には防水ゴムが設けられると共に穴径を調整する紐が設けられていることを特徴とする。これによって、余長部が重なり合って開口部を塞ぐので、屋外においても雨が侵入する可能性が少ない。また、前記電子機器のケーブル接続部に対応する位置に、ケーブルが挿入される穴部が設けられ、前記穴部の周囲には防水ゴムが設けられると共に穴径を調整する紐が設けられていることを特徴とする。これにより、収納状態において電子機器のケーブル接続部へケーブルを接続して使用可能となる。
【００１３】
本発明の請求項２に記載の電子機器収納ケースでは、前記穴部を所望により覆いまたは露出させる穴部カバーを具備することを特徴とする。
【００１４】
【発明の実施の形態】
以下添付図面を参照して、本発明の電子機器収納ケースの実施の形態を説明する。各図において、同一の構成要素には同一の符号を付して重複する説明を省略する。図１〜図４に電子機器収納ケースの実施の形態を示す。電子機器収納ケース１は、電子機器の外形に応じた形状とされている。この例では電子機器が箱型６面体の形状であるため、電子機器収納ケース１も箱型６面体の形状とされている。
【００１５】
電子機器収納ケース１の一面は収納すべき電子機器を出し入れする開口部２となっている。開口部２には、開口端部から延在し、畳むことにより相互に重なり合って開口部２を塞ぐ余長部３Ａ〜３Ｄが設けられている。余長部３Ａ〜３Ｄは相互に切込４Ａ〜４Ｄにより分けられ、切込４Ａ〜４Ｄの端部付近が折り畳みにより電子機器の角に位置するようになされている。つまり、電子機器を電子機器収納ケース１へ収納した場合に、電子機器の端面が図２の破線により示される位置に止まる。
【００１６】
電子機器収納ケース１の裏面であって余長部３Ｂから所定距離の位置には、余長部３Ｂの端辺に沿って固定手段である面状ファスナー５Ａが設けられており、また、余長部３Ａの端辺から所定距離の位置には端辺に沿って面状ファスナー５５Ｂが設けられている。
【００１７】
上記の構成において、電子機器を電子機器収納ケース１に収納して開口部２を閉じる場合には、まず、余長部３Ｃ、３Ｄを開口部２側へ折り曲げ、次に余長部３Ａ、３Ｂを重ねて図６に示されるように畳み込む。このとき、電子機器収納ケース１の裏面に設けられた面状ファスナー５Ａと余長部３Ａに設けられた面状ファスナー５Ｂとが接合して、余長部３Ａ、３Ｂが畳み込まれた畳込部３０を電子機器収納ケース１の裏面に固定する。図６は、余長部３Ａ、３Ｂを重ねて畳み込んだ部分の断面図である。
【００１８】
電子機器収納ケース１は図６に示されるように、表面被膜を形成する防水性素材シート６と内側に設けられた繊維やゴム或いはスポンジなどの弾性材料７とからなるシートにより構成されており、耐水性と耐振性及び耐衝撃性を備える。以上の構成より屋外においても雨水が内部に浸透することがない。なお、防水性素材シート６は、防水性の樹脂等を塗布した被膜により構成しても良い。
【００１９】
図１及び図５に示されるように電子機器収納ケース１では、電子機器のタッチパネル表示面１０に対応する位置に、防水性透明フィルム８が設けられた外部から上記タッチパネル表示面１０を目視及び操作の可能な窓部９を具備する。係る構成により、電子機器が収納された状態において防水性透明フィルム８を介してタッチパネル表示面１０を目視及び操作でき、屋外において雨天の場合にも使用可能である。
【００２０】
電子機器収納ケース１は、窓部９の左端縁から延在し、窓部９を所望により覆いまたは露出させる窓カバー１１を備えている。窓カバー１１の内側先端部には、端縁部に沿って面状ファスナー１２Ａが設けられており、窓部９を窓カバー１１により覆ったときに面状ファスナー１２Ａが位置する窓部９の側辺領域の面状ファスナー１２Ｂと接合するように構成されている。
【００２１】
また、図３に示されるように窓部９を窓カバー１１により覆った状態の窓カバー１１の表面には、面状ファスナー１２Ａと同位置に面状ファスナー１３Ａが設けられており、図４に示されるように窓カバー１１を電子機器収納ケース１の裏面側へ折り返して図２に示す裏面のほぼ中央に設けられた面状ファスナー１３Ｂと接合して窓カバー１１が邪魔とならぬように保持される。
【００２２】
更に、電子機器収納ケース１では、電子機器の電源キーや機能キー等の操作キーに対応する位置には、外部からの操作により上記操作キーの操作を可能とする可撓性操作部１４、１５が具備されている。
【００２３】
図７に、上記の可撓性操作部１４の断面図が示されている。電子機器の電源キー１６の外側には、柔軟性樹脂やゴムにより凹形状に形成され周縁部が防水性素材シート６に接合されたた可撓性シール部１７と、可撓性シール部１７の中央であって電源キー１６側に突出して設けられた突起部１８とにより構成されている可撓性操作部１４が設けられている。可撓性操作部１５の構成も同様である。
【００２４】
可撓性操作部１４が上記のように構成されている結果、電子機器の収納状態において突起部１８を可撓性シール部１７側から押圧すると、可撓性シール部１７が撓み突起部１８が電源キー１６を押圧するから電子機器の操作部（操作キー）である電源キー１６を外部から操作することができる。可撓性操作部１５についても同様に外部から操作することができる。しかも、この可撓性操作部１４、１５は可撓性シール部１７により雨水が侵入することがなく、屋外において使用することも可能である。
【００２５】
また、ケーブル接続部を拡大した図８に詳細が示されるように電子機器収納ケース１おいては、電子機器のケーブル接続部に対応する位置に、ケーブル１９が挿入される穴部２０が設けられ、上記穴部２０の周囲には防水ゴム２１が設けられると共に穴部２０の径を調整する紐２２が設けられている。紐２２の両端部は、Ｏリング２３等の径調整部材に挿通されている。Ｏリング２３を移動させることにより紐２２により形成されている穴径を狭めたり広めたりすることができ、図４に示されるようにケーブル１９が電子機器のケーブル接続部に接続された後には、Ｏリング２３を適宜移動させて紐２２により形成されている穴径を狭めてケーブル１９の外周にフィットさせることができる。
【００２６】
上記穴部２０を所望により覆いまたは露出させる穴部カバー２４が、穴部２０に隣接して設けられており、穴部カバー２４の端辺に沿った位置には裏表面に面状ファスナー２５Ａ、２６Ａがそれぞれ設けられており、穴部カバー２４にて穴部２０を覆ったときの及び露出させるように反対側へ折り返したときの電子機器収納ケース１の表面には、上記面状ファスナー２５Ａ、２６Ａに対応する面状ファスナー２５Ｂ、２６Ｂが設けられている。
【００２７】
ケーブル１９を接続しないときには、図３に示される如く面状ファスナー２５Ａ、２５Ｂを接合して穴部２０を覆うことにより雨水等の侵入を阻止し、ケーブル１９を接続するときには図４に示される如く面状ファスナー２６Ａ、２６Ｂを接合して穴部２０を露出させる。
【００２８】
また、箱型の電子機器収納ケース１の両側面にはベルト２７の固定部２８が形成され、ベルト２７により電子機器収納ケース１を吊り下げ可能となっており、移動する際に好適となっている。なお、ベルト２７は図１にのみ図示しており、他の図では省略してある。
【００２９】
以上のように構成された電子機器収納ケース１により電子機器を収納し、電子機器を使用せぬときには図３に示すように窓カバー１１により窓部９を覆い、穴部カバー２４により穴部２０を覆う。また、電子機器を使用するときには図４に示すように窓カバー１１を取り去り窓部９を露出させ、穴部カバー２４を取り去り穴部２０を露出させケーブル１９を接続して、電子機器収納ケース１に電子機器を収納したままの状態において電子機器を使用することができる。以上の例においては、電子機器の形状を箱型６面体としたが、他の形状の場合には、電子機器収納ケースもその形状に合わせた形状とする。
【００３０】
図９〜図１２に本発明の第２の実施の形態に電子機器収納ケース２００の構成を示す。この実施の形態では、開口端部側に至る程に両側壁部シート２０１、２０１をテーパ状に絞り、上シート２０２と下シート２０３により余長部を構成したものである。各シートの構成は図６に示したものと同様に弾性材料を防水性樹脂等により塗膜したものである。
【００３１】
上シート２０２には、電子機器２５０のタッチパネル表示部に対応して穴が穿設され、この穴に防水性透明フィルム２０４が設けられており、外側から上記タッチパネル表示を目視して必要な入力を行うことが可能である。
【００３２】
電子機器収納ケース２００において、電子機器２５０が収納される部分の底面には、図１２に示されるようなパネルヒータ２１０が敷設されている。このパネルヒータ２１０は、電池ケース２３０に収納された電池２２０により駆動され発熱し、電子機器収納ケース２００に収納された電子機器２５０を暖めて寒冷地においても使用可能とされている。
【００３３】
両側壁部シート２０１、２０１がテーパ状に絞られる直前の部分には、防水性の布により作成された内袋２０５が縫い付けられている。内袋２０５の開口部分には紐２０６を収納し、開口を絞り、または広げる紐穴が形成されている。電子機器２５０は上記内袋２０５内に収納され、ケーブル２５１が紐２０６により絞られた内袋２０５の開口部分から外部へ導かれる。下シート２０３の先端部付近には、上記ケーブル２５１を外部へ導出させるケーブル孔２０７が形成されている。
【００３４】
上シート２０２の余長部は下シートの余長部より長く、上シート２０２の裏面端縁部には面状ファスナー２０８Ａが設けられ、背面側に折り返したときに、下シート２０３に設けられた面状ファスナー２０８Ｂと結合して開口部分の蓋が適切になされるように構成されている。図１０はこのようにして上シート２０２を折り返し、開口部を閉じた状態を示す。
【００３５】
この図９〜図１２に示した電子機器収納ケース２００の構成によっても、余長部を重ねて畳み込むことにより雨水の侵入を防ぎ、且つ内袋２０５で更に雨水の侵入を防ぐので、屋外での使用が可能となる。また、電子機器２５０を電子機器収納ケース２００へ収納したままで操作することができ、この場合にも雨水の侵入を防ぎ屋外での使用が可能である。また、パネルヒータ２１０が敷設されているので、寒冷地における屋外の使用にも耐久可能である。
【００３６】
【発明の効果】
以上説明したように本発明によれば、収納すべき電子機器を出し入れする開口部には、開口端部から延在し、第１の余長部の下にて第１の余長部と重なり合って畳まれる第２の余長部、第１と第２の余長部の下にて記開口部の少なくとも一部を塞ぐように折り返される第３の余長部が設けられ、また畳まれた状態の上記第１の余長部を電子機器収納ケースに固定するようになっているので、開口部が適切に塞がれて屋外においても雨が侵入する可能性が少なく、屋外における使用及び搬送を問題なく行うことができる。
【００３７】
また、本発明によれば、電子機器のケーブル接続部に対応する位置に、ケーブルが挿入される穴部が設けられ、上記穴部の周囲には防水ゴムが設けられると共に穴径を調整する紐が設けられている等により、電子機器を収納した状態において電子機器に対し外部から操作するなどして使用することができるので、屋外において雨を気にすることなく収納状態で使用できる。
【図面の簡単な説明】
【図１】開口部を開けたまま正面を向けて置いた状態の本発明の実施例に係る電子機器収納ケースの斜視図。
【図２】開口部を開けたまま裏面を向けて置いた状態の本発明の実施例に係る電子機器収納ケースの斜視図。
【図３】電子機器を収納して搬送する状態を示す本発明の実施例に係る電子機器収納ケースの斜視図。
【図４】電子機器を収納してケーブルを接続して使用する状態を示す本発明の実施例に係る電子機器収納ケースの斜視図。
【図５】本発明の実施例に係る電子機器収納ケースの要部断面図。
【図６】本発明の実施例に係る電子機器収納ケースの要部断面図。
【図７】本発明の実施例に係る電子機器収納ケースの要部断面図。
【図８】本発明の実施例に係る電子機器収納ケースの要部拡大図。
【図９】本発明の他の実施例に係る電子機器収納ケースの斜視図。
【図１０】図９の電子機器収納ケースの１−１断面図。
【図１１】図９の電子機器収納ケースの２−２一部断面図。
【図１２】図９の電子機器収納ケースに収納する部品の斜視図。
【図１３】従来の電子機器収納ケースの斜視図。
【符号の説明】
１、２００  電子機器収納ケース      ２  開口部
３Ａ〜３Ｄ  余長部                  ６  防水性素材シート
７  弾性材料                        ８、２０４  防水性透明フィルム
９  窓部                            １１  窓カバー
１４、１５  可撓性操作部
【図１】
0003816344.tif 000002
【図２】
0003816344.tif 000003
【図３】
0003816344.tif 000004
【図４】
0003816344.tif 000005
【図５】
0003816344.tif 000006
【図６】
0003816344.tif 000007
【図７】
0003816344.tif 000008
【図８】
0003816344.tif 000009
【図９】
0003816344.tif 000010
【図１０】
0003816344.tif 000011
【図１１】
0003816344.tif 000012
【図１２】
0003816344.tif 000013
【図１３】
0003816344.tif 000014